(57)【要約】【課題】蓄積型音楽番組において、聴いている楽曲を即座に購入することができる楽曲販売システム、および端末装置を提供する。【解決手段】端末装置５は、配信サーバ２Ａ，２Ｂから音楽番組データをダウンロードし、記憶する。記憶した音楽番組データは、ユーザが好きなときに再生することができる。音楽番組データには、音声データと付加情報とが含まれている。付加情報には、音声データの各楽曲の開始タイム、終了タイムが記載されており、再生中の楽曲を判別することができる。再生中にユーザから購入指示があったとき、付加情報に基づいて現在再生中の楽曲に対応する楽曲データを記憶した販売サーバ（販売サーバ３Ａまたは販売サーバ３Ｂ）を割り出し、販売サーバから楽曲データをダウンロードする。【選択図】図１
2008225549.tif 000002
【特許請求の範囲】
【請求項１】
端末装置と、１または複数の楽曲の音声データと音声データの付加情報とからなる公開音楽番組データを記憶した配信サーバと、楽曲データを記憶した楽曲データサーバと、をネットワークで接続してなる楽曲販売システムであって、
前記端末装置は、前記配信サーバから公開音楽番組データをダウンロードする公開音楽番組データ受信部と、
受信した公開音楽番組データを記憶する記憶部と、
公開音楽番組データを再生する再生部と、
前記楽曲データサーバから前記楽曲データをダウンロードする楽曲データ受信部と、
ユーザから楽曲データの購入指示を受け付ける受付部と、
前記受付部で楽曲データの購入指示を受け付けたとき、前記楽曲データ受信部に、そのとき再生されている楽曲に対応する楽曲データを前記楽曲データサーバからダウンロードさせ、前記楽曲データ受信部がダウンロードした楽曲データを前記記憶部に記憶するダウンロード処理を実行する制御部と、を備え、
前記制御部は、公開音楽番組データを再生するとき、前記付加情報に含まれる、各楽曲の開始タイムカウント、終了タイムカウントを読み出し、公開音楽番組データの再生開始点からの再生タイムカウントに基づいて、現在再生されている楽曲に対応する楽曲データを判断する楽曲販売システム。
【請求項２】
前記制御部は、前記再生タイムカウントが前記開始タイムから終了タイムの間であれば、前記受付部による楽曲データの購入指示を有効にし、前記ダウンロード処理を実行する請求項１に記載の楽曲販売システム。
【請求項３】
前記制御部は、前記付加情報に含まれる、各楽曲に対応する楽曲データが記憶されている楽曲データサーバの所在情報を読み出し、
前記所在情報に基づいて、前記楽曲データ受信部に楽曲データをダウンロードさせる請求項１、または請求項２に記載の楽曲販売システム。
【請求項４】
前記公開音楽番組データを検索する検索サーバをさらに備えた請求項１、請求項２、または請求項３に記載の楽曲販売システム。
【請求項５】
１または複数の楽曲の音声データと音声データの付加情報とからなる公開音楽番組データを配信サーバからダウンロードする公開音楽番組データ受信部と、
受信した公開音楽番組データを記憶する記憶部と、
公開音楽番組データを再生する再生部と、
楽曲データサーバから楽曲データをダウンロードする楽曲データ受信部と、
ユーザから楽曲データの購入指示を受け付ける受付部と、
前記受付部で楽曲データの購入指示を受け付けたとき、前記楽曲データ受信部に、そのとき再生されている楽曲に対応する楽曲データを前記楽曲データサーバからダウンロードさせ、前記楽曲データ受信部がダウンロードした楽曲データを前記記憶部に記憶するダウンロード処理を実行する制御部と、を備え、
前記制御部は、公開音楽番組データを再生するとき、前記付加情報に含まれる、各楽曲の開始タイムカウント、終了タイムカウントを読み出し、公開音楽番組データの再生開始点からの再生タイムカウントに基づいて、現在再生されている楽曲に対応する楽曲データを判断する端末装置。
【請求項６】
前記制御部は、前記再生タイムカウントが前記開始タイムから終了タイムの間であれば、前記受付部による楽曲データの購入指示を有効にし、前記ダウンロード処理を実行する請求項５に記載の端末装置。
【請求項７】
前記制御部は、前記付加情報に含まれる、各楽曲に対応する楽曲データが記憶されている楽曲データサーバの所在情報を読み出し、
前記所在情報に基づいて、前記楽曲データ受信部に楽曲データをダウンロードさせる請求項５、または請求項６に記載の端末装置。
【請求項８】
前記制御部は、楽曲データの購入指示を受け付けたとき、端末装置がネットワークに接続されているか否かを判断し、ネットワークに接続されていなければ前記購入指示をリクエストとして保持し、次にネットワークに接続されたとき前記楽曲データ受信部に、前記リクエストに対応する楽曲データを前記楽曲データサーバからダウンロードさせる請求項５、請求項６、または請求項７に記載の端末装置。
【発明の詳細な説明】
【技術分野】
【０００１】
この発明は、インターネットを経由して楽曲を販売する楽曲販売システム、およびこの楽曲販売システムに用いられる端末装置に関する。
【背景技術】
【０００２】
従来、インターネットを経由して楽曲データを販売するシステムが普及している。また、特許文献１に示すように、インターネットを経由して配信される音楽番組（インターネットラジオ番組）において配信中の楽曲を購入することができるシステムも提案されている。
【特許文献１】特開２００５−１０６９２６号公報
【発明の開示】
【発明が解決しようとする課題】
【０００３】
しかし、近年、音楽番組をウェブサイトに公開しておき、この公開音楽番組をユーザがダウンロードして好きなときに聴くシステム（以下、蓄積型音楽番組と言う。）が普及しており、この場合、ユーザがそのとき聴いている楽曲を即座に購入することができなかった。
【０００４】
また、特許文献１に記載のシステムでは、ストリーミングデータにアドレス情報を記録するため、既存の楽曲データのフォーマット（例えばＭＰ３）を用いることができず、各機器が新たなフォーマットに対応する必要があり、システム全体としてコストがかかる、という問題も有った。
【０００５】
この発明は、蓄積型音楽番組において、聴いている楽曲を即座に購入することができる楽曲販売システム、および端末装置を提供することを目的とする。
【課題を解決するための手段】
【０００６】
この発明の楽曲販売システムは、端末装置と、１または複数の楽曲の音声データと音声データの付加情報とからなる公開音楽番組データを記憶した配信サーバと、楽曲データを記憶した楽曲データサーバと、をネットワークで接続してなる楽曲販売システムであって、前記端末装置は、前記配信サーバから公開音楽番組データをダウンロードする公開音楽番組データ受信部と、受信した公開音楽番組データを記憶する記憶部と、公開音楽番組データを再生する再生部と、前記楽曲データサーバから前記楽曲データをダウンロードする楽曲データ受信部と、ユーザから楽曲データの購入指示を受け付ける受付部と、前記受付部で楽曲データの購入指示を受け付けたとき、前記楽曲データ受信部に、そのとき再生されている楽曲に対応する楽曲データを前記楽曲データサーバからダウンロードさせ、前記楽曲データ受信部がダウンロードした楽曲データを前記記憶部に記憶するダウンロード処理を実行する制御部と、を備え、前記制御部は、公開音楽番組データを再生するとき、前記付加情報に含まれる、各楽曲の開始タイムカウント、終了タイムカウントを読み出し、公開音楽番組データの再生開始点からの再生タイムカウントに基づいて、現在再生されている楽曲に対応する楽曲データを判断することを特徴とする。
【０００７】
この構成では、端末装置が配信サーバから公開音楽番組データをダウンロードする。ダウンロードした公開音楽番組データは、端末装置に記憶され、ユーザの好きなときに再生することができる。公開音楽番組データには、音声データと付加情報（例えばＩＤ３タグ）とが含まれている。付加情報には、音声データに含まれている各楽曲の開始タイムカウント、終了タイムカウントが記載されており、現在の再生タイムカウントから再生中の楽曲を判別することができる。ユーザから購入指示を受け付けたとき、判別した楽曲に対応する楽曲データを楽曲データサーバからダウンロードすることで、蓄積型音楽番組においてユーザが現在聴いている楽曲を購入したいと思ったときに、即座に購入することができる。
【０００８】
また、この発明は、さらに、前記制御部は、前記再生タイムカウントが前記開始タイムから終了タイムの間であれば、前記受付部による楽曲データの購入指示を有効にし、前記ダウンロード処理を実行することを特徴とする。
【０００９】
この構成では、再生タイムカウントが各楽曲の開始タイムカウント、終了タイムカウントの間であれば、楽曲の再生中であるとして購入指示を有効にする。楽曲の再生中でなければ購入指示を受け付けず、楽曲データをダウンロードしない。
【００１０】
また、この発明は、さらに、前記制御部は、前記付加情報に含まれる、各楽曲に対応する楽曲データが記憶されている楽曲データサーバの所在情報を読み出し、前記所在情報に基づいて、前記楽曲データ受信部に楽曲データをダウンロードさせることを特徴とする。
【００１１】
この構成では、付加情報に所在情報（サイト情報）が含まれている。制御部は、ユーザから購入指示を受け付けたとき、付加情報に含まれているサイト情報を読み出すことで楽曲データが記憶されている楽曲データサーバにアクセスすることができる。
【００１２】
また、この発明は、さらに、前記公開音楽番組データを検索する検索サーバをさらに備えたことを特徴とする。
【００１３】
この構成では、公開音楽番組データを検索する検索サーバを備えている。例えば、ユーザが番組名などのキーワードを入力すると該当する公開音楽番組データが記憶されている配信サーバを検索する。これにより、ユーザが所望の公開音楽番組データを検索することができる。
【００１４】
この発明の端末装置は、１または複数の楽曲の音声データと音声データの付加情報とからなる公開音楽番組データを配信サーバからダウンロードする公開音楽番組データ受信部と、受信した公開音楽番組データを記憶する記憶部と、公開音楽番組データを再生する再生部と、楽曲データサーバから楽曲データをダウンロードする楽曲データ受信部と、ユーザから楽曲データの購入指示を受け付ける受付部と、前記受付部で楽曲データの購入指示を受け付けたとき、前記楽曲データ受信部に、そのとき再生されている楽曲に対応する楽曲データを前記楽曲データサーバからダウンロードさせ、前記楽曲データ受信部がダウンロードした楽曲データを前記記憶部に記憶するダウンロード処理を実行する制御部と、を備え、前記制御部は、公開音楽番組データを再生するとき、前記付加情報に含まれる、各楽曲の開始タイムカウント、終了タイムカウントを読み出し、公開音楽番組データの再生開始点からの再生タイムカウントに基づいて、現在再生されている楽曲に対応する楽曲データを判断することを特徴とする。
【００１５】
また、この発明は、さらに、前記制御部は、前記付加情報に含まれる、各楽曲に対応する楽曲データが記憶されている楽曲データサーバの所在情報を読み出し、前記所在情報に基づいて、前記楽曲データ受信部に楽曲データをダウンロードさせることを特徴とする。
【００１６】
また、この発明は、さらに、前記制御部は、前記再生タイムカウントが前記開始タイムから終了タイムの間であれば、前記受付部による楽曲データの購入指示を有効にし、前記ダウンロード処理を実行することを特徴とする。
【００１７】
また、この発明は、さらに、前記制御部は、楽曲データの購入指示を受け付けたとき、端末装置がネットワークに接続されているか否かを判断し、ネットワークに接続されていなければ前記購入指示をリクエストとして保持し、次にネットワークに接続されたとき前記楽曲データ受信部に、前記リクエストに対応する楽曲データを前記楽曲データサーバからダウンロードさせることを特徴とする。
【００１８】
この構成では、制御部は、ユーザの購入指示をリクエストとして保持しておく。制御部は、端末装置がネットワークに接続されたとき、リクエストの有無を判断し、リクエストを保持していれば楽曲データサーバから該当楽曲データをダウンロードする。
【発明の効果】
【００１９】
この発明によれば、公開音楽番組データに含まれる付加情報に基づいて楽曲の開始タイムカウント、終了タイムカウントを判断し、購入指示が有ったときに再生されている楽曲に対応する楽曲データを判断してダウンロードするため、蓄積型音楽番組において、ユーザが現在聴いている楽曲を購入したいと思ったときに、即座に購入することができる。
【００２０】
また、公開音楽番組データは、ＭＰ３データのように、付加情報（ＩＤ３タグ）が含まれている一般的な楽曲データのフォーマットを用いることができ、特殊なフォーマットを用いる必要がない。
【００２１】
また、音楽番組データに含まれている各楽曲の音声は、そのまま試聴データとなるため、別途試聴用データ等を用意する必要がない。また、蓄積型音楽番組のため、オフライン中においても繰り返し聴くことができ、ユーザの楽曲購入の意欲を促進することができ、また、楽曲提供者側にとってもユーザの聴取、購入機会が増えるため、広告宣伝、販売効果が高くなる。
【発明を実施するための最良の形態】
【００２２】
図面を参照してこの発明の実施形態である楽曲販売システムについて説明する。図１は楽曲販売システムのブロック図である。
この楽曲販売システムは、ネットワーク１に接続される配信サーバ２Ａ、配信サーバ２Ｂ、販売サーバ３Ａ、販売サーバ３Ｂ、検索サーバ４、および端末装置５を備えている。
【００２３】
配信サーバ２Ａおよび配信サーバ２Ｂは、音楽番組データを多数記憶したサーバである。音楽番組データは、例えばＭＰ３データであり、ラジオ番組のように、番組進行役の会話（ＤＪのトーク）、楽曲サンプル等が含まれる音声データである。配信サーバ２Ａおよび配信サーバ２Ｂは、いわゆる公開サーバであり、音楽番組作成者が配信サーバ２Ａおよび配信サーバ２Ｂに音楽番組データをアップロードし、音楽番組を公開する。端末装置５は、ユーザの指示に基づいて、またはあらかじめ定められたタイミング（毎週決められた時間など）で、これらの音楽番組データをダウンロードする。ダウンロードした音楽番組データは、端末装置５の記憶部（図２（Ａ）を参照）に記憶され、ユーザが好きなときに聴くことができる。これにより、蓄積型音楽番組が構成される。
【００２４】
販売サーバ３Ａおよび販売サーバ３Ｂは、音楽番組データに含まれている楽曲サンプルに対応する楽曲データを多数記憶している。販売サーバ３Ａ，３Ｂが本発明の楽曲データサーバに相当する。販売サーバ３Ａ，３Ｂに記憶される楽曲データは、音楽番組データと同じＭＰ３データであるが、音楽番組データに比べ、サンプリングレートが高く、高音質である。また、楽曲データは、音楽番組データと異なる高音質のデータ、例えばＡＤＰＣＭデータ等であってもよい。ユーザが端末装置５を用いて楽曲データの購入を指示した場合、販売サーバ３Ａ，３Ｂから楽曲データがダウンロードされる。
【００２５】
検索サーバ４は、配信サーバ２Ａおよび配信サーバ２Ｂに記憶されている各音楽番組データのタイトル等を記載したリストを記憶しているデータベースサーバである。ユーザは端末装置５を用いてこの検索サーバ４に所望の検索キーワードを入力し、目的の音楽番組データを検索する。検索サーバ４と配信サーバ２Ａ，２Ｂはリンクしており、ユーザが端末装置５を用いて検索すると、音楽番組データが記憶されているサイト情報（ダウンロード先）が端末装置５の表示部（図２（Ａ），（Ｂ）を参照）に表示され、ユーザは、目的の音楽番組データをダウンロードすることができる。
【００２６】
端末装置５は、音楽番組データ、楽曲データをダウンロードする端末であり、ユーザは、この端末装置５を用いて音楽番組データ、楽曲データをダウンロードし、再生する。
【００２７】
図２（Ａ）は、端末装置５の主要構成を示すブロック図であり、同図（Ｂ）は、端末装置５の外観を示す図である。端末装置５は、通信部１１、制御部１２、表示部１３、記憶部１４、操作部１５、およびスピーカ１６を備えている。なお、同図（Ａ）において、デジタル信号をアナログ音声信号に変換するＤＡコンバータや音声信号を増幅するパワーアンプ等は省略している。
【００２８】
通信部１１は、ネットワーク１に接続し、種々のデータを送受信する。例えば、配信サーバ２Ａまたは配信サーバ２Ｂから音楽番組データを受信する。この通信部１１が本発明の公開音楽番組データ受信部、楽曲データ受信部に相当する。なお、図示はしていないが、端末装置５は、実際にはルータ等の通信機器を介してネットワーク１に接続される。ネットワーク１との接続は、有線であってもよいし、無線であってもよい。また、通信部１１がパーソナルコンピュータ（ＰＣ）に接続され、このＰＣを介してネットワーク１に接続されるようにしてもよい。いずれの形態で接続される場合であっても、本発明の技術的範囲内である。
【００２９】
制御部１２は、ＣＰＵを含み、端末装置５を統括的に制御する。制御部１２は、記憶部１４から動作用プログラムを読み出し、ＲＡＭ（不図示）に展開することで種々の動作を行う。また、制御部１２は、上記動作用プログラムにより、ＭＰ３データをＰＣＭに変換するデコーダ等の機能も実現する。
【００３０】
記憶部１４は、フラッシュメモリ、ハードディスクドライブ（ＨＤＤ）等からなり、上記動作用プログラムのほか、制御部１２が通信部１１を介して配信サーバ２Ａ，２Ｂからダウンロードした音楽番組データや販売サーバ３Ａ，３Ｂからダウンロードした楽曲データを記憶する。制御部１２は、記憶部１４に記憶されている音楽番組データや楽曲データを読み出し、音声信号に変換してスピーカ１６に入力する。スピーカ１６は、入力された音声信号に基づいて楽音を放音する。これにより、ユーザは音楽番組や楽曲を聴くことができる。なお、音声信号出力端子（不図示）を設置し、制御部１２がこの音声信号出力端子に音声信号を出力するようにしてもよい。音声信号出力端子にヘッドホン等を接続することで音楽番組や楽曲を聴くことができる。
【００３１】
表示部１３は、例えばＬＣＤからなり、記憶部１４に記憶されている音楽番組データや楽曲データのタイトル、アーティスト情報等の一覧を表示する。また、現在再生中の音楽番組データ、楽曲データのタイトル、アーティスト情報等、種々の情報を表示する。また、端末装置５が検索サーバ４にアクセスした場合、配信サーバに記憶されている各音楽番組データの種々の情報を表示するブラウザ画面としても機能する。なお、音楽番組データを、映像データを含んだデータ（ＳＭＡＦ（Synthetic music Mobile Application Format）など）として構成し、表示部１３に音楽番組の映像を表示してもよい。
【００３２】
操作部１５は、ユーザの操作情報を受け付ける操作子であり、例えば同図（Ｂ）に示すように、選択ボタン１５Ａ、決定ボタン１５Ｂ、購入指示ボタン１５Ｃからなる。ユーザがこれらのボタンを用いて音楽番組データの検索、楽曲の購入、再生指示、等を行う。
【００３３】
操作部１５の購入指示ボタン１５Ｃは、ユーザが音楽番組データを再生しているとき、再生中の音楽番組において現在放音されている楽曲（楽曲サンプル）に対応する楽曲データの購入を受け付けるボタン（本発明の受付部）として機能する。音楽番組データには、その音楽番組データに含まれている楽曲の開始タイムカウント、終了タイムカウントが記載されており、制御部１２がこのタイムカウントを読み出すことで、再生中の楽曲を判別することができる。
【００３４】
図３は、音楽番組データの構成を示す図である。同図に示すように、音楽番組データには、タグデータと音声データが含まれている。音楽番組データは、ＭＰ３データからなり、タグデータとしてはいわゆるＩＤ３規格の情報が含まれる。
【００３５】
タグデータには、ファイルヘッダ、番組タイトル、各楽曲のタイトル、各楽曲の開始タイムカウント、終了タイムカウント、および各楽曲の販売サイト情報が記載されている。ファイルヘッダには、各音楽番組データの識別情報が記載されている。番組タイトルは、番組進行役の名前などが含まれており、番組の検索（キーワード検索）などに用いられる。
【００３６】
制御部１２は、音楽番組データを再生するとき、タグデータに含まれている各楽曲の開始タイムカウント、終了タイムカウントを読み出す。これらの開始タイムカウント、終了タイムカウントから再生中の楽曲を判断する。
【００３７】
図４は、タイムカウントの概念を示す図である。同図におけるタイムチャートは、音楽番組データ（ＭＰ３データ）の再生開始点から終了点まで（タイムカウント０〜ＥＮＤ）の時間幅を示す。
【００３８】
制御部１２は、音楽番組データの再生を開始すると再生タイムをカウントし、同図の菱形図形に示すように、音楽番組データのタイムチャート上で再生タイムカウントを歩進する。制御部１２は、音楽番組データの再生タイムカウントが各楽曲の開始タイムカウントから終了タイムカウントの間であるときに購入指示ボタン１５Ｃを有効にする。なお、購入指示ボタンは、表示部１３に購入指示可能の旨を表示し、決定ボタン１５Ｂを購入指示ボタンとして機能させるようにしてもよいし、表示部１３に購入指示のアイコンを表示し、ユーザが操作部１５（選択ボタン１５Ａ，決定ボタン１５Ｂ）を用いて選択するようにしてもよい。
【００３９】
ユーザが購入指示ボタン１５Ｃを押下すると、制御部１２は、再生タイムカウントとタグデータに記載されている各楽曲のタイトル、開始タイムカウント、終了タイムカウントに基づいて再生中の楽曲を判別し、その楽曲の販売サイト情報を読み取る。販売サイト情報には、その楽曲に対応する楽曲データが記憶されている販売サーバの情報（ＵＲＬ等）が記載されている。制御部１２は、対応する楽曲データが記憶されている販売サーバ３Ａまたは販売サーバ３Ｂに購入要求情報を送信する。販売サーバ３Ａまたは販売サーバ３Ｂは、該当する楽曲データを端末装置５にダウンロードさせる。
【００４０】
なお、購入指示ボタンを常に有効にし、ユーザが購入指示ボタンを押下したときに音楽番組データを再生中でない、または楽曲の再生タイミングでない場合、表示部１３にエラー表示をして購入要求情報を送信しないようにしてもよい。
【００４１】
なお、課金処理は既存の手法を用いればよい。例えば端末装置５が購入要求情報を送信したとき、端末装置５が課金サーバ（図示せず）に接続され、個人認証が行われる。個人認証が適正にされ、課金処理が済んだ場合、課金サーバがダウンロード許可情報を販売サーバ３Ａまたは販売サーバ３Ｂに送信する。販売サーバ３Ａまたは販売サーバ３Ｂは、ダウンロード許可情報を得た場合に、当該端末装置５に楽曲データをダウンロードさせる。
【００４２】
これにより、ユーザは、蓄積型音楽番組において現在聴いている楽曲を気に入ったときに即座に購入することができる。なお、ユーザが購入指示ボタンを押下したときに端末装置５がネットワークに接続されていない場合、制御部１２は、この購入指示をリクエストとして保持しておく。制御部１２は、次に端末装置５（通信部１１）がネットワークに接続されたとき、リクエストの有無を判断し、リクエストを保持していれば販売サーバ３Ａまたは販売サーバ３Ｂに購入要求情報を送信する。
【００４３】
また、端末装置５は、携帯型の端末装置であるため、オフラインになる場合が有る。ユーザが購入指示ボタンを押下したときに端末装置５がネットワークに接続されていない場合（オフラインである場合）、音楽番組データに含まれている音声データのうち、各楽曲のタイムカウントに該当する部分を切り出し、一時的に楽曲データとして記憶部１４に別途記憶するようにしてもよい。次にネットワークに接続されたときに切り出した楽曲データとダウンロードした楽曲データを置き換えるようにすればよい。
【００４４】
以上のように、本実施形態の楽曲販売システムでは、蓄積型音楽番組において、ユーザが現在聴いている楽曲を購入したいと思ったときに、即座に購入することができる。即座に気に入った楽曲を購入できるため、従来の蓄積型音楽番組に比較して、後に購入をためらう（購入意欲が冷める）ことがない。また、音楽番組データは、ＭＰ３データのように、一般に普及している楽曲データのフォーマットを用いることができ、特殊なフォーマットを用いる必要がない。音楽番組データに含まれている各楽曲の音声がそのまま試聴データとなるため、別途試聴用データ等を用意する必要がない。また、蓄積型音楽番組のため、ユーザは繰り返し聴くことができ（オフラインでも聴くことができ）、楽曲購入の意欲を促進することができる。また、楽曲提供者側にとってもユーザの聴取、購入機会が増えるため、広告宣伝、販売効果が高くなる。
【００４５】
なお、本実施形態では、端末装置として携帯型の端末装置５を示したが、パーソナルコンピュータやＰＤＡなど、その他の情報処理装置を用いることも可能である。
【図面の簡単な説明】
【００４６】
【図１】楽曲販売システムの構成を示すブロック図である。
【図２】端末装置の構成を示すブロック図、および端末装置の外観図である。
【図３】音楽番組データの構成を示す図である。
【図４】タイムカウントの概念を示す図である。
【符号の説明】
【００４７】
１−ネットワーク
２Ａ，２Ｂ−配信サーバ
３Ａ，３Ｂ−販売サーバ
４−検索サーバ
５−端末装置
【図１】
2008225549.tif 000003
【図２】
2008225549.tif 000004
【図３】
2008225549.tif 000005
【図４】
2008225549.tif 000006